(57)【要約】【課題】本体フレームの内部に進入した塵埃等が液晶表示画面とカバー部材との間に入り込むことを防止することができる電子端末を提供する。【解決手段】矩形枠状の本体フレーム１３と、表示画面用開口１３ａから液晶表示画面１４が露出するように表示画面用開口１３ａ内に配置された液晶表示ユニット１５と、液晶表示画面１４の表面側に配置されて表示画面用開口１３ａの表面側開口縁部に裏面側周縁部１７ａが貼着されるカバー部材１７と、表示画面用開口１３ａの表面側開口縁部とカバー部材１７の裏面側周縁部１７ａとを貼着する両面テープ１６と、を備え、両面テープ１６を表示画面用開口１３ａの内側に延在することによりカバー部材１７の裏面側周縁部１７ａと液晶表示画面１４の表面側周縁部とを貼着してこれらの間の隙間を塞いだ。【選択図】図３
2013057711.tif 000002
【特許請求の範囲】
【請求項１】
表示画面用開口を形成した矩形枠状の本体フレームと、
前記表示画面用開口から液晶表示画面が露出するように前記表示画面用開口内に配置された液晶表示ユニットと、
前記液晶表示画面の表面側に配置されて前記表示画面用開口の表面側開口縁部に裏面側周縁部が貼着されるカバー部材と、
表示画面用開口の前記表面側開口縁部と前記カバー部材の前記裏面側周縁部とを貼着する両面テープと、を備え、
前記両面テープを前記表示画面用開口の内側に延在することにより前記カバー部材の前記裏面側周縁部と前記液晶表示画面の前記表面側周縁部とを貼着してこれらの間の隙間を塞いだことを特徴とする電子端末。
【請求項２】
前記両面テープは、前記液晶表示画面の前記表面側周縁部の全周にわたって前記表示画面用開口の内側に延在していることを特徴とする請求項１に記載の電子端末。
【請求項３】
前記本体フレームは、操作キーを配置した操作器本体にスライド変位可能に支持されていることを特徴とする請求項１又は請求項２に記載の電子端末。
【発明の詳細な説明】
【技術分野】
【０００１】
本発明は、表示画面用開口を形成した矩形枠状の本体フレームに液晶表示画面を有する液晶表示ユニットを装着した電子端末に関する。
【背景技術】
【０００２】
従来から、表示画面用開口を形成した矩形枠状の本体フレームに、表示画面開口から液晶表示画面が露出するように液晶表示ユニットを装着した電子端末が周知である。
【０００３】
また、特に液晶表示画面が外部に露出しているような電子端末にあっては、液晶表示画面を保護するために、液晶表示画面の表面側にシールドやカバー部材等のカバー部材を設けると共に、両面テープ等を用いてカバー部材を本体フレームに固定したものが知られている（例えば、特許文献１，２参照）。
【０００４】
図４乃至図７は、このような電子端末の一例を示し、図４は電子端末としての携帯電話端末の斜視図、図５は電子端末としての携帯電話端末の使用状態の斜視図、図６は電子端末としての携帯電話端末の要部の分解斜視図、図７は電子端末としての携帯電話端末の要部の断面図である。
【０００５】
図４乃至図７において、電子端末としての携帯電話端末１は、テンキー等の複数の操作キー２を配置した操作器本体３と、操作器本体３にスライド変位可能に保持された矩形枠状の本体フレーム４と、本体フレーム４の表示画面用開口４ａから液晶表示画面５が露出するように本体フレーム４の裏面側から挿入された液晶表示ユニット６と、本体フレーム４の表面側から挿入されて表示画面用開口４ａを覆うように本体フレーム４に両面テープ７を介して貼着されたカバー部材８と、両面テープ７の内側で液晶表示画面５とカバー部材８との間の隙間を塞ぐ防塵用のクッション部材９と、を備えている。
【０００６】
本体フレーム４は、矩形枠状の枠部４ｂと、枠部４ｂの内側から突出されて表示画面用開口４ａを形成するリブ４ｃと、を一体に備え、このリブ４ｃによって表示画面用開口４ａの開口縁部が形成される。
【０００７】
これにより、両面テープ７は、表示画面用開口４ａの開口縁部となるリブ４ｃの表面側（表面側開口縁部）に沿う枠状に形成されており、リブ４ｃの表面とカバー部材８の裏面側周縁部とに跨ることによって、本体フレーム４にカバー部材８を貼着している。
【０００８】
クッション部材９は、両面テープ７の内側で液晶表示画面５の表示エリア外に位置するように矩形枠状とされ、液晶表示画面５の表面側周縁部とカバー部材８の裏面側周縁部との間に介在することによって、その隙間を塞ぎ、塵埃等が隙間に入り込まないようにしている。
【先行技術文献】
【特許文献】
【０００９】
【特許文献１】特開２００２−１０８２３８号公報
【特許文献２】特開２００８−１４８８８５号公報
【発明の概要】
【発明が解決しようとする課題】
【００１０】
しかしながら、上述した電子端末にあっては、表示画面用開口４ａを形成してその開口縁部を規定するリブ４ｃにある程度の肉厚を要すると共に、カバー部材８の裏面側周縁部を支持し、且つ、両面テープ７で本体フレーム４に貼着するために表示画面用開口４ａに向けて（内側に向けて）突出させる必要があるため、本体フレーム４の裏面側から挿入された液晶表示ユニット６と本体フレーム４の表面側から挿入されたカバー部材８との間に隙間が発生し易いことから、クッション部材９を配置する必要があった。
【００１１】
このため、クッション部材９を配置するために部品点数が増すうえ、液晶表示画面５の表示エリアにはみ出さないように位置決めをしなければならないといった、組み付け時に手間を要するという問題が生じていた。
【００１２】
なお、特許文献１には、液晶表示画面を保持するフレーム枠をカバー部材と一緒に同一の両面テープで貼着したストレート型の携帯電話機が開示されている。また、特許文献２には、カバー部材をフレーム部材に貼着する両面テープを表示画面用開口にまで延在（オーバーハング）してその延在部分で塵埃を捕集するパチンコ遊技機用の液晶表示装置が開示されている。
【００１３】
しかしながら、特許文献１，２の何れに記載のものにあっては、両面テープにより液晶表示画面の周縁部を直接封止するものではなかったため、依然として液晶表示画面とカバー部材との間に塵埃が進入してしまうという問題があった。
【００１４】
そこで、本発明は、本体フレームの内部に進入した塵埃等が液晶表示画面とカバー部材との間に入り込むことを防止することができる電子端末を提供することを目的とする。
【課題を解決するための手段】
【００１５】
上記課題を解決するため、本発明の電子端末は、表示画面用開口を形成した矩形枠状の本体フレームと、前記表示画面用開口から液晶表示画面が露出するように前記表示画面用開口内に配置された液晶表示ユニットと、前記液晶表示画面の表面側に配置されて前記表示画面用開口の表面側開口縁部に裏面側周縁部が貼着されるカバー部材と、表示画面用開口の前記表面側開口縁部と前記カバー部材の前記裏面側周縁部とを貼着する両面テープと、を備え、前記両面テープを前記表示画面用開口の内側に延在することにより前記カバー部材の前記裏面側周縁部と前記液晶表示画面の前記表面側周縁部とを貼着してこれらの間の隙間を塞いだことを特徴とする。
【発明の効果】
【００１６】
本発明の電子端末は、本体フレームの内部に進入した塵埃等が液晶表示画面とカバー部材との間に入り込むことを防止することができる。
【図面の簡単な説明】
【００１７】
【図１】本発明の一実施形態に係る電子端末としての携帯電話端末の斜視図である。
【図２】本発明の一実施形態に係る電子端末としての携帯電話端末の要部の分解斜視図である。
【図３】本発明の一実施形態に係る電子端末としての携帯電話端末の要部の断面図を示し、（Ａ）は組み付け状態の要部の断面図、（Ｂ）は組み付け前の要部の断面図である。
【図４】従来の電子端末としての携帯電話端末の斜視図である。
【図５】従来の電子端末としての携帯電話端末の使用状態の斜視図である。
【図６】従来の電子端末としての携帯電話端末の要部の分解斜視図である。
【図７】従来の電子端末としての携帯電話端末の要部の断面図である。
【発明を実施するための形態】
【００１８】
次に、本発明の一実施形態に係る電子端末を携帯電話端滅に適用し、図面を参照して説明する。尚、以下に示す実施例は本発明の電子端末における好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。したがって、以下に示す実施形態の記載をもって、特許請求の範囲に記載された発明の内容を限定するものではない。
【００１９】
図１は本発明の一実施形態に係る電子端末としての携帯電話端末の斜視図、図２は本発明の一実施形態に係る電子端末としての携帯電話端末の要部の分解斜視図、図３は本発明の一実施形態に係る電子端末としての携帯電話端末の要部の断面図示し、図３（Ａ）は組み付け状態の要部の断面図、図３（Ｂ）は組み付け前の要部の断面図である。
【００２０】
図１乃至図３において、電子端末としての携帯電話端末１１は、操作器本体１２と、操作器本体１２にスライド変位可能に保持された矩形枠状の本体フレーム１３と、本体フレーム１３の裏面側から挿入されて本体フレーム１３の表示画面用開口１３ａから液晶表示画面１４が露出した液晶表示ユニット１５と、本体フレーム１３の表面側から挿入されて両面テープ１６を介して貼着されたカバー部材１７と、を備えている。
【００２１】
電子端末としての携帯電話端末１１は、本実施の形態では操作器本体１２にスライド変位可能となるように本体フレーム１３を支持したスライド式が採用されている。
【００２２】
操作器本体１２は、テンキー等の複数の操作キー（図示せず）を配置しており、その内部には、通信・通話に関する制御回路基板（図示せず）等を配置しており、公知の上下（表裏）カバー１２ａ，１２ｂによって密閉状とされている。尚、図３においては、操作器本体１２は公知のものを用いていることから、その内部構造等は省略している。
【００２３】
本体フレーム１３は、矩形枠状の枠部１３ｂと、枠部１３ｂの内側から突出されて表示画面用開口１３ａを形成するリブ１３ｃと、を一体に備え、このリブ１３ｃによって表示画面用開口１３ａの開口縁部が形成されている。尚、本体フレーム１３は、枠部１３ｂの内壁面のうち、リブ１３ｃよりも裏面側（図３の下方側）の内壁面１３ｄが裏面側に向って拡開するように傾斜されている。
【００２４】
液晶表示ユニット１５は、液晶表示画面１４と、例えば、本体フレーム１３の内壁面１３ｄに当接することによって、その傾斜形状により密閉性を確保する裏面カバー１８と、液晶表示画面１４と裏面カバー１８との間に配置されたタッチパネル部１９と、を備えている。
【００２５】
両面テープ１６は、例えば、紙製若しくはある程度のクッション性を備えた公知のものが用いられており、表示画面用開口１３ａの開口縁部となるリブ１３ｃの表面側（表面側開口縁部）に沿う枠状に形成されており、リブ１３ｃの表面とカバー部材１７の裏面側周縁部１７ａとに跨ることによって、本体フレーム１３にカバー部材１７を貼着している。また、両面テープ１６は、リブ１３ｃの内側から表示画面用開口１３ａの内側に延在している。これにより、カバー部材１７の裏面側周縁部１７ａと液晶表示画面１４の表面側周縁部１４ａとを一つの両面テープ１６で貼着し得て、液晶表示画面１４とカバー部材１７との間の隙間を塞ぐことができる。
【００２６】
この際、両面テープ１６は、液晶表示画面１４の表面側周縁部１４ａの全周にわたって表示画面用開口１３ａの内側に延在させることにより、液晶表示画面１４の表示エリアの犠牲を少なくしつつ、液晶表示画面１４の表面側周縁部１４ａとカバー部材１７の裏面側周縁部１７ａとの間を確実にシールすることができる。したがって、カバー部材１７の表面側から本体フレーム１３の内部に浸入しようとする塵埃は勿論、液晶表示ユニット１５の裏面側（裏面カバー１８と内壁面１３ｄとの間）から進入した塵埃等が液晶表示画面１４とカバー部材１７との間に侵入することを防止することができる。
【００２７】
カバー部材１７は、例えば、透明（無色）な樹脂フィルムシート等が用いられており、液晶表示画面１４の表面を保護している。尚、カバー部材１７の材質や性質等は公知のものを用いることができる。
【００２８】
上記の構成において、本体フレーム１３の裏面側（液晶表示ユニット１５の裏面側）から本体フレーム１３の内部に進入した塵埃等は、両面テープ１６によって液晶表示画面１４とカバー部材１７との間に侵入することを防止することができる。
【００２９】
このように、本発明の電子端末にあっては、両面テープ１６を表示画面用開口１３ａの内側に延在させることにより、液晶表示画面１４とカバー部材１７とを貼着して、これらの間を確実にシールする（塞ぐ）ことができる。
【符号の説明】
【００３０】
１１…携帯電話端末
１２…操作器本体
１２ａ…カバー（表面側）
１２ｂ…カバー（裏面側）
１３…本体フレーム
１３ａ…表示画面用開口
１３ｂ…枠部
１３ｃ…リブ
１３ｄ…内壁面
１４…液晶表示画面
１４ａ…表面側周縁部
１５…液晶表示ユニット
１６…両面テープ
１７…カバー部材
１７ａ…裏面側周縁部
１８…裏面カバー
１９…タッチパネル部
【図１】
2013057711.tif 000003
【図２】
2013057711.tif 000004
【図３】
2013057711.tif 000005
【図４】
2013057711.tif 000006
【図５】
2013057711.tif 000007
【図６】
2013057711.tif 000008
【図７】
2013057711.tif 000009